(57)【要約】【課題】電話回線から電話機を切離した状態で、且つ、リンガー信号の入力の有無にかかわらず確実にフック状態を検出するための閾値を得ることができる通信端末装置を提供する。【解決手段】電話回線から前記電話機を切離した状態で所定時間回線電圧値をモニターし、リンガー信号非検出状態におけるモニター電圧値の最小値Ｖｍ、またはリンガー信号検出状態におけるモニター電圧値の最大値と最小値の平均値Ｖａを導出し、前記最小値Ｖｍまたは平均値Ｖａよりも低い所定の電圧値を閾値Ｖｔｈとして設定する閾値設定手段と、電話回線に前記電話機を接続した状態で前記閾値設定手段により設定された閾値に基づいて前記電話機のフック状態を検出するように構成されている。【選択図】  図２
2004350040.tif 000002
【特許請求の範囲】
【請求項１】
電話回線の回線電圧値に基づいて前記電話回線に並列に接続された電話機のフック状態を検出するフック状態検出手段を備える通信端末装置であって、
前記フック状態検出手段は、前記電話回線から前記電話機を切離した状態で所定時間回線電圧値をモニターし、リンガー信号非検出状態におけるモニター電圧値の最小値Ｖｍ、またはリンガー信号検出状態におけるモニター電圧値の最大値と最小値の平均値Ｖａを導出し、前記最小値Ｖｍまたは平均値Ｖａよりも低い所定の電圧値を閾値Ｖｔｈとして設定する閾値設定手段と、前記電話回線に前記電話機を接続した状態で前記閾値設定手段により設定された閾値に基づいて前記電話機のフック状態を検出するように構成されている通信端末装置。
【請求項２】
前記閾値設定手段は、装置電源の投入時に自動的に作動するように構成されている請求項１記載の通信端末装置。
【請求項３】
前記フック状態検出手段により検出された回線電圧値が所定の異常値であるときに、前記閾値設定手段が自動的に作動するように構成されている請求項１または２記載の通信端末装置。
【発明の詳細な説明】
【０００１】
【発明の属する技術分野】
本発明は、電話回線の回線電圧値に基づいて前記電話回線に並列に接続された電話機のフック状態を検出するフック状態検出手段を備える通信端末装置に関する。
【０００２】
【従来の技術】
従来、この種の通信端末装置として、付属電話機が接続可能に構成されたファクシミリ装置があり、ファクシミリによる通信中には電話機による通話を抑制制御し、電話機のオフフック中にはファクシミリによる通信を抑制制御する必要がある。
【０００３】
そのために電話回線の回線電圧値を検出し、その検出電圧値に基づいて電話機のフック状態を検出するフック状態検出手段を備えた通信端末装置が提案されている。
【０００４】
ここに、回線電圧は国内では一般にオンフック状態でＤＣ４８Ｖ、オフフック状態でＤＣ１０Ｖ以下となるが、地域や使用される交換機によりその値は異なり、回線電圧値に対してフック状態を判断する一律の閾値電圧の設定は困難であるため、電話機がオンフックでファクシミリのモデムを接続した閉結時と、電話機が同じくオンフックでファクシミリのモデムを切離した非閉結時の回線電圧をモニターし、それぞれの平均値と予め実験などに基づいて決定されメモリに格納された基準値に基づいて閾値電圧を決定していた。
【０００５】
【特許文献１】
特開平８−２５１２７９号公報
【０００６】
【発明が解決しようとする課題】
しかし、上述した従来の通信端末装置では、閉結時も非閉結時もともに電話機がオンフックの状態でモニターするように構成されていたためにサンプリング時にオフフック状態であれば検出そのものが無意味となり、また基準値もそのときのモニター値に基づいて調整しなければならないといった煩雑さがあり、さらには、モニター時にリンガー信号が入力されると、正確にモニターできないという問題点があった。
【０００７】
本発明の目的は、上述した従来の問題点に鑑み、電話回線から電話機を切離した状態で、且つ、リンガー信号の入力の有無にかかわらず確実にフック状態を検出するための閾値を得ることができる通信端末装置を提供する点にある。
【０００８】
【課題を解決するための手段】
上述の目的を達成するため、本発明による通信端末装置の第一の特徴構成は、特許請求の範囲の欄の請求項１に記載した通り、電話回線の回線電圧値に基づいて前記電話回線に並列に接続された電話機のフック状態を検出するフック状態検出手段を備え、前記フック状態検出手段は、前記電話回線から前記電話機を切離した状態で所定時間回線電圧値をモニターし、リンガー信号非検出状態におけるモニター電圧値の最小値Ｖｍ、またはリンガー信号検出状態におけるモニター電圧値の最大値と最小値の平均値Ｖａを導出し、前記最小値Ｖｍまたは平均値Ｖａよりも低い所定の電圧値を閾値Ｖｔｈとして設定する閾値設定手段と、前記電話回線に前記電話機を接続した状態で前記閾値設定手段により設定された閾値に基づいて前記電話機のフック状態を検出するように構成されている点にある。
【０００９】
上述の構成によれば、電話回線から前記電話機を切離した状態で回線電圧値をモニターできるので不意にオフフック操作されても問題なくモニター電圧を検出できるのであり、リンガー信号非検出状態ではモニター電圧値の最小値Ｖｍに基づいて閾値Ｖｔｈを設定することになるので、十分なノイズマージンが確保できるものである。さらに、リンガー信号検出状態でもモニター電圧値の最大値と最小値の平均値Ｖａを求めればリンガー信号の影響を排除して閾値Ｖｔｈを設定することが可能となるのである。
【００１０】
上述の特徴構成に加えて、前記閾値設定手段は、装置電源の投入時に自動的に作動するように構成されていると、装置が他の電話回線に接続されるような場合などに対応して自動的に閾値電圧を再設定できる点で好ましい。
【００１１】
さらに、前記フック状態検出手段により検出された回線電圧値が所定の異常値であるときに、前記閾値設定手段が自動的に作動するように構成されていると、何らかの一時的な回線の短絡や抜けなどの事故が発生してもその後に自動的に閾値電圧を再設定できる点で好ましい。
【００１２】
【発明の実施の形態】
以下、図面に基づいて本発明の実施の形態を通信端末装置の一形態であるファクシミリ装置を例に説明する。図１に示すように、電話回線１にファクシミリ装置２が接続され、さらにファクシミリ装置２の電話回線拡張端子にリレー５を介して付属電話機３が並列に接続されている。
【００１３】
前記ファクシミリ装置２は、回線・モデムインターフェース回路６と、回線・モデムインターフェース回路６を介して電話回線１と接続されるモデム７と、装置全体の制御を司るべくＣＰＵとＣＰＵの実行プログラムが格納されたＲＯＭと各種の制御データが格納されるＲＯＭと各制御ブロックとの間で制御データを授受する入出力回路を備え、原稿読取り部や画像出力部を制御する制御部８と、電話回線１から入力されるリンガー信号を検出して制御部に伝達するリンガー信号検出部９と、電話回線１の回線電圧を検出する回線電圧検出部１０などを備えて構成してある。
【００１４】
前記制御部８は、前記回線電圧検出部１０により検出された回線電圧が所定の閾値電圧Ｖｔｈより高いときに付属電話機３がオンフックの状態にあり、前記所定の閾値電圧Ｖｔｈより低いときにオフフックの状態にあると判断するフック状態検出手段を備えている。
【００１５】
前記制御部８は、前記フック状態検出手段による検出結果に基づいて、ファクシミリ装置による通信中には付属電話機３による通話を抑制すべくリレー５をオン状態に切り替えて電話回線から付属電話機３を切離し制御し、逆に付属電話機３のオフフック中にはファクシミリによる通信を抑制制御する。
【００１６】
さらに制御部８は、前記リンガー信号検出部９により外部からの着呼であるリンガー信号が検出されると、予め設定した回数だけ付属電話機３を鳴動させた後に回線・モデムインターフェース回路６に切り替えてファクシミリ通信を実行する。
【００１７】
前記フック状態検出手段は、電話回線１から付属電話機３を切離した状態で所定時間回線電圧値をモニターし、リンガー信号非検出状態におけるモニター電圧値の最小値Ｖｍ、またはリンガー信号検出状態におけるモニター電圧値の最大値と最小値の平均値Ｖａを導出し、前記最小値Ｖｍまたは平均値Ｖａよりも低い所定の電圧値を閾値Ｖｔｈとして設定する閾値設定手段と、前記電話回線に前記電話機を接続した状態で前記閾値設定手段により設定された閾値に基づいて前記電話機のフック状態を検出するもので、前記制御部８の一部及び前記回線電圧検出部１０とで構成される。
【００１８】
通常、電話交換機から電話回線１には、図３（ａ）に示すように、ＤＣ４８Ｖの直流電源が供給され、電話回線１に接続された電話機がオンフックの状態では約ＤＣ４８Ｖが検出されるが、オフフックの状態では電話機の内部インピーダンスだけ降下した電圧が検出される。従って、電話回線１の端子電圧を測定することのより付属電話機３がオンフックの状態であるかオフフックの状態であるかが判別できる。しかし、これらの電圧値は、電話交換機や配線状況などにより地域や設置個所により変動するもので、状態判別のための閾値Ｖｔｈの値を一義的に決定できない。また、電話回線１からリンガー信号が発信されると、図３（ｂ）に示すように、ＤＣ４８Ｖをバイアス値として１６Ｈｚ、７５Ｖｒｍｓの交流信号が出力される。従って、電話回線１のこのような状態を勘案して状態判別のための閾値Ｖｔｈの値が設定される。
【００１９】
以下に前記フック状態検出手段による動作を、図２に示すフローチャートに基づいて説明する。制御部８に備えたＲＡＭの閾値電圧格納エリアに閾値電圧が設定されているか否か（閾値電圧が設定されていないときにはゼロが記憶されている）を判断し（Ｓ１）、設定されていればファクシミリ装置の電源が投入されたエッジであるか否かを判断し（Ｓ１３）、エッジでなければ既に電源投入がされているものとしてステップ２に移行し、エッジであれば新規に電源投入がされたとして、ＲＡＭの閾値電圧格納エリアをクリア（ゼロ値を書き込む）してステップ１に戻る。ファクシミリ装置は電源が投入されれば、そのままの状態で維持されるのが通常であり、電源投入のエッジが検出されることをもって新たに回線に接続されて設置された状態であると判断するものである。
【００２０】
付属電話機３を電話回線１から切離すべくリレー５をオン（図１中破線で示される状態）して（Ｓ２）、回線電圧検出部１０により予め設定された数秒の間、回線電圧をモニターして最小電圧値ＶｍをＲＡＭのモニター電圧記憶エリアに格納する（Ｓ３、Ｓ５０）。この間にリンガー信号検出部９によりリンガー電圧が検出されると（Ｓ４）、リンガー信号の最大電圧値と最小電圧値を検出してＤＣレベルを演算導出する（Ｓ５）。具体的には、最大電圧値と最小電圧値を数サイクル計測して平均最大値と平均最小値の平均値をＤＣレベルとして演算導出する。
【００２１】
次に、ステップＳ５またはステップＳ５０で求められた値の１／２の値を閾値電圧Ｖｔｈとして求め、ＲＡＭの閾値電圧格納エリアに格納する（Ｓ６）。閾値電圧の設定が終了すると、リレー５をオフ（図１中実線で示される状態）して付属電話機３を電話回線１に接続して通常の回線電圧検出モードに移行する（Ｓ７、Ｓ８）。
【００２２】
制御部８は回線電圧検出部１０で検出された回線電圧に基づいて回線がどの状態にあるかを判断する（Ｓ９）。検出された回線電圧Ｖが、０＜Ｖ＜Ｖｔｈと判断するとオフフック状態にあると判断してファクシミリによる通信を抑制制御して引き続きステップＳ８に戻り回線電圧を監視する（Ｓ１０）。検出された回線電圧Ｖが、Ｖｔｈ＜Ｖと判断するとオンフック状態にあると判断して引き続きステップＳ８に戻り回線電圧を監視する（Ｓ１１）。検出された回線電圧Ｖが、Ｖ＝０と判断すると何らかの一時的な回線の短絡や抜けなどの事故が発生したと判断してステップＳ１４に戻り再度閾値電圧の設定モードに戻る（Ｓ１２）。
【００２３】
以上説明したように、制御部８のＣＰＵで実行されるステップＳ１からステップＳ７の処理が閾値設定手段を構成し、閾値設定手段は、ステップＳ１３、ステップＳ１４により装置電源の投入時に自動的に作動するように構成され、制御部８のＣＰＵで実行されるステップ１２に示すように、フック状態検出手段により検出された回線電圧値が所定の異常値であるときに、前記閾値設定手段が自動的に作動するように構成されている。
【００２４】
上述した回線電圧検出部１０の回路構成については、特に限定されるものではなく、公知の電圧検出回路で構成可能であり、アナログの信号増幅回路とＡ／Ｄ変換回路で構成すればよく、Ａ／Ｄ変換に際してはリンガー信号が検出できるサンプリング周期でサンプリングされていればよい。
【００２５】
閾値電圧として、上述したステップＳ５またはステップＳ５０で求められた値の１／２の値を設定するものを説明したが、この値に限定するものではなく、ステップＳ５でモニターされた最小値電圧とステップＳ５０で演算された平均電圧に対してノイズマージンを考慮した値だけ低い任意の値に設定することも可能である。
【００２６】
上述した実施形態では、通信端末装置としてファクシミリ装置を例に説明したが、他の種類の通信端末装置にも適用可能である。
【００２７】
【発明の効果】
以上の説明から明らかなように、本発明によれば、電話回線から電話機を切離した状態で、且つ、リンガー信号の入力の有無にかかわらず確実にフック状態を検出するための閾値を得ることができる通信端末装置を提供することができるようになった。
【図面の簡単な説明】
【図１】本発明による通信端末装置のブロック構成図
【図２】本発明による通信端末装置の閾値決定動作を説明するフローチャート
【図３】電話回線の端子電圧の説明図
【符号の説明】
１：電話回線
２：ファクシミリ装置
３：付属電話機
５：リレー
６：回線・モデムインターフェース回路
７：モデム
８：制御部
９：リンガー信号検出部
１０：回線電圧検出部
【図１】
2004350040.tif 000003
【図２】
2004350040.tif 000004
【図３】
2004350040.tif 000005